(57)【要約】【課題】ロール状に巻かれたシートを着脱する作業の労力を軽減することができる。【解決手段】本発明のシート作業機１は、シートＳを巻き付ける芯材と、該芯材の両端部にそれぞれ装着され、該芯材を着脱可能に支持するように構成された一対の支持部材とを備えたシートローラ６と、高い位置に設定されたシート作業位置Ｐ１から低い位置に設定されたシート着脱位置Ｐ２までの間で該シートローラ６を略水平な軸の周りに回動自在に機体４に支持する一対の回動アーム３８と、シートローラ６がシート作業位置Ｐ１にある状態で回動アーム３８を位置保持させる位置保持手段３９とを備えている。【選択図】　　　図１
2004024235.tif 000002
【特許請求の範囲】
【請求項１】
シートを巻き付ける芯材と、該芯材の両端部にそれぞれ装着され、該芯材を着脱可能に支持するように構成された一対の支持部材とを備えたシートローラと、
高い位置に設定されたシート作業位置から低い位置に設定されたシート着脱位置までの間で該シートローラを略水平な軸の周りに回動自在に機体に支持する一対の回動アームと、
前記シートローラが前記シート作業位置にある状態で該回動アームを位置保持させる位置保持手段とを備えたシート作業機。
【請求項２】
前記シートローラが前記シート着脱位置にある状態で前記回動アームを位置保持させる位置保持手段を備えた請求項１記載のシート作業機。
【請求項３】
前記芯材に巻かれたシートを前記シート着脱位置の付近で支持するシート載置部を備えた請求項１又は２記載のシート作業機。
【請求項４】
前記シート載置部は、前記回動アームに連結され、該回動アームとともに回動するように構成された請求項１〜３のいずれか一項に記載のシート作業機。
【請求項５】
前記シートローラを回転駆動する回転駆動部を備え、該回転駆動部は、前記回動アームとともに回動するように構成された請求項１〜４のいずれか一項に記載のシート作業機。
【請求項６】
シートを巻き付ける芯材と、該芯材の両端部にそれぞれ装着され、該芯材を着脱可能に支持するように構成された一対の支持部材とを備えたシートローラと、前記シートローラの下方に設けられ、前記芯材に巻かれたシートを載置するためのシート載置部とを備えたシート作業機。
【発明の詳細な説明】
【０００１】
【発明の属する技術分野】
本発明は、農業用のシート類を再使用可能に回収したり、回収したシート類を張ったりする作業機に関するものである。
【０００２】
【従来の技術】
シート作業機として、畝の両側を走行する車輪により畝に沿って走行自在に支持された機体を備え、該機体には、畝幅方向に延びる中心線周りに回転自在に支持されたシートローラと、該シートローラを回転駆動する回転駆動部とが設けられ、前記シートローラがシートを巻き取る反力により前記機体が移動するように構成されたものが、本出願人により開発されている（特願２００２−２４２５５号）。このシート作業機では、トンネルハウスの支柱に張られたシートを巻き取ることができるように、トンネルハウスの高さよりも十分に高い位置に前記シートローラが支持されている。このシートローラは、シートを巻き付ける芯材が着脱可能になっており、巻き取ったシートを前記芯材ごと取り外して保管しておくことができるようになっている。また、このシート作業機は、巻き取ったシートを再び取り付けて、シートを張る作業にも使用できるようになっている。
【０００３】
【発明が解決しようとする課題】
ところが、前記芯材に巻き取られたロール状のシートは、重量が５０ｋｇ以上になることもあり、しかもシートの幅は通常で約２ｍあるので、前記芯材もこれに応じた長さに設定されている。このようにシートが長く重量があるため、前記高い位置からこのシートを取り外したり、再使用時に取り付けたりする作業は、一人では行うことができず、二人以上で行う場合でも困難かつ重労働であるという問題がある。
【０００４】
本発明の目的は、上記課題を解決し、ロール状に巻かれたシートを着脱する作業の労力を軽減することができるシート作業機を提供することにある。
【０００５】
【課題を解決するための手段】
上記目的を達成するために、本発明のシート作業機は、シートを巻き付ける芯材と、該芯材の両端部にそれぞれ装着され、該芯材を着脱可能に支持するように構成された一対の支持部材とを備えたシートローラと、高い位置に設定されたシート作業位置から低い位置に設定されたシート着脱位置までの間で該シートローラを略水平な軸の周りに回動自在に機体に支持する一対の回動アームと、前記シートローラが前記シート作業位置にある状態で該回動アームを位置保持させる位置保持手段とを備えている。
【０００６】
前記シート作業位置とは、トンネルハウスや畝等に張られたシートをシートローラに巻き取って回収したり、シートをシートローラから引き出してトンネルハウスや畝等に張ったりする作業のための位置をいう。
【０００７】
この構成によれば、シートを着脱するときは、前記シート作業位置における位置保持を解除し、低い位置に設定された前記シート着脱位置まで前記シートローラを回動させることができ、作業し易い低い位置で着脱作業を行えるようにしている。
【０００８】
前記シート作業機においては、前記シートローラが前記シート着脱位置にある状態で前記回動アームを位置保持させる位置保持手段を備えた態様を例示する。
【０００９】
この構成によれば、前記シート着脱位置において前記回動アームを位置保持させることができるので、シートの着脱作業をさらに容易に行うことができる。
【００１０】
また、前記シート作業機においては、前記芯材に巻かれたシート（本書において「シートロール」という。）を前記シート着脱位置の付近で支持するシート載置部を備えた態様を例示する。
【００１１】
この構成によれば、前記シートロールを前記シート着脱位置の近くで支持させることができるので、シートロールを片側ずつ支持部材に着脱することができ、一人でも着脱作業を行うことができる。
【００１２】
前記シート載置部は、前記回動アームに連結され、該回動アームとともに回動するように構成された態様を例示する。
【００１３】
この構成によれば、前記シート載置部を、例えば前記回動アーム等を回動させるためのハンドルとして利用することもできる。
【００１４】
前記シートローラを回転駆動する回転駆動部を備え、該回転駆動部は、前記回動アームとともに回動するように構成された態様を例示する。
【００１５】
この構成によれば、前記回転駆動部が、前記回動アームとともに回動し、両者が相対移動しないので、駆動力を前記回動アーム先端部のシートローラに伝動するための構造を簡単化することができる。
【００１６】
また、本発明のシート作業機は、シートを巻き付ける芯材と、該芯材の両端部にそれぞれ装着され、該芯材を着脱可能に支持するように構成された一対の支持部材とを備えたシートローラと、前記シートローラの下方に設けられ、前記芯材に巻かれたシートを載置するためのシート載置部とを備えている。
【００１７】
この構成によれば、前記シートロールを前記シートローラの下方、即ちシートロールを着脱する位置のすぐ近くで支持させることができるので、シートロールを片側ずつ支持部材に着脱することができ、一人でも着脱作業を行うことができる。
【００１８】
【発明の実施の形態】
図１〜図５は本発明を具体化した第一実施形態のシート作業機を示している。このシート作業機１は、畝Ｕ両側を走行する左右の前輪２及び左右の後輪３により畝Ｕに沿って走行自在に支持された機体４と、該機体４の前側に設けられてシートＳの状態を調整するシート調整部５と、該シート調整部５の後方に設けられてシートＳをシートローラ６に巻き取るシート回収部７とを備えている。このシート作業機１では、トンネルハウスＴの支柱に張られたシートＳを巻き取ることができるように、トンネルハウスＴの高さよりも十分に高い位置にシートローラ６が支持されている。
【００１９】
機体４は、前後方向に延びる左右一対の側フレーム１１と、該左右の側フレーム１１の前後側をそれぞれ連結する左右に延びる前横フレーム１２及び後横フレーム１３とを備えている。両側フレーム１１の長さ方向中間部には、それぞれ左右に延びる脚フレーム１５が設けられている。該各脚フレーム１５の機体４外側の先端部には、前方かつ斜め下方に延びる前脚部１６と、後方かつ斜め下方に延びる後脚部１７とが設けられている。前脚部１６の下端部には、前輪２が回転自在かつ軸１６ａで方向転回可能に設けられ、後脚部１７の下端部１７ａには、後輪３が機体４の前後方向へ進行するように向きを固定された状態で回転自在に設けられている。各脚フレーム１５は、長さ調節可能に構成されており、畝Ｕの幅に応じて左右の車輪２，３の間隔を調節することができるようになっている。
【００２０】
なお、機体４をその左右方向へ進行させることができるように、後脚部１７の下端部１７ａは、後輪３の向きを９０°転回させた状態にし、その状態に固定することも可能になっている。このとき、前輪２も後輪３と平行に向きを固定することができるように構成してもよい。シート作業機１は機体４の左右方向よりも前後方向の長さが短いので、このように機体４の左右方向に向けて該機体４を進行させることにより、幅狭な通路を移動させることもできるようにしている。
【００２１】
シート調整部５は、前横フレーム１２の両端部に支持された下側ガイド部２０と、前横フレーム１２の上側に支持された上側ガイド部２１とを備えている。
【００２２】
下側ガイド部２０は、図２に示すように左右に延びる前枠片２０ａと、該前枠片２０ａの両端部から後方に延びる左右の側枠片２０ｂと、該両側枠片２０ｂの後端部及び前横フレーム１２の両端部をそれぞれ連結する左右の後枠片２０ｃとからなり、平面視で該前横フレーム１２とともに左右に横長の略矩形状の枠を形成している。シートＳはこの枠内を通される。そして、下側ガイド部２０の前枠片２０ａがシートＳの表面側に当接し、該シートＳを後斜め上方に向けてガイドするようになっている。
【００２３】
上側ガイド部２１は、下側ガイド部２０の両後枠片２０ｃに取り付けられ、略上方に延びる左右一対の支持アーム２２を備えている。両支持アーム２２の先端部には、軸２８の接続部２７が前斜め上方に出っ張るようにへ字状に配設されたガイドローラ２９が回転自在に支持されている。また、前横フレーム１２の中央部には連結部材３０を介して軸２８の接続部２７が支持されている。支持アーム２２は、その先端部の位置を前後に調節する調節手段２２ａを備えており、これにより、両ガイドローラ２９の配設位置を調節することができるようになっている。そして、一対のガイドローラ２９は、下側ガイド部２０を経由したシートＳの裏面側に当接し該シートＳをシートローラ６へ向けてガイドするようになっている。特に、ヘ字状に配設された一対のガイドローラ２９は、シートＳの裏面側に当接し、両ガイドローラ２９の接続部２７付近を中心にシートＳを左右に広げた状態にガイドする作用を奏する。これにより、シートＳを回収するときに、シートＳは芯材３４に対して左右に均一に回収される。また、シートＳを張るときには、シートＳは芯材３４から左右に均一に引き出される。
【００２４】
シート回収部７は、シートＳを巻き付ける芯材３４を含むシートローラ６と、高い位置に設定されたシート作業位置Ｐ１から低い位置に設定されたシート着脱位置Ｐ２までの間で該シートローラ６を略水平な軸の周りに回動自在に後横フレーム１３に支持する一対の回動アーム３８と、シートローラ６がシート作業位置Ｐ１及びシート着脱位置Ｐ２にある状態で該回動アーム３８を位置保持させる位置保持手段３９と、芯材３４に巻かれたシートＳからなるシートロールＲをシート着脱位置Ｐ２の付近で支持するシート載置部４０と、シートローラ６を回転駆動する回転駆動部８とを備えている。
【００２５】
シートローラ６は、芯材３４と、該芯材３４の両端部にそれぞれ装着され、芯材３４を着脱可能に支持するように構成された一対の支持部材３５とを備えている。そして、一方（本例では図２の右側）の支持部材３５は、該一方の回動アーム３８に形成された雌ネジ孔に螺入された長手の雄ネジ軸３７に支持されており、該雄ネジ軸３７の反支持部材側に取り付けられたローラ着脱ハンドル３６を回転させると、雄ネジ軸３７の長さ方向に移動し、これによって芯材３４を着脱可能に支持するようになっている。また、他方の支持部材３５は、他方の回動アーム３８に回転自在に支持された駆動軸６１に取り付けられている。
【００２６】
回動アーム３８は、後横フレーム１３の両端に支持された軸フレーム４２を介して後横フレーム１３に支持されている。軸フレーム４２は、後横フレーム１３と同じ中心線周りに回動可能に該後横フレーム１３の両端に支持されており、該軸フレーム４２の先端部には回動アーム３８が前記中心線と略直角に延びるように取り付けられている。両回動アーム３８の先端部には、シートローラ６の支持部材３５がそれぞれ支持されている。本例では、図１に示すように側面視で両回動アーム３８が後横フレーム１３の直上に延び、シートローラ６が最も高い位置となる位置をシート作業位置Ｐ１とし、該シート作業位置Ｐ１から後方に約１００°回動した低い位置をシート着脱位置Ｐ２としている。
【００２７】
位置保持手段３９は、図４に示すように後横フレーム１３と軸フレーム４２との接合部において、両者にそれぞれ取り付けられた一対のフランジ部１３ａ，４２ａと、軸フレーム側フランジ部４２ａに取り付けられ、図示しない付勢手段によって後横フレーム側フランジ部１３ａに向けて突出するように付勢されたピン４５と、後横フレーム側フランジ部１３ａに形成され、シートローラ６がシート作業位置Ｐ１及びシート着脱位置Ｐ２にあるときにそれぞれピン４５が嵌入する嵌合孔４６，４７とを備えている。ピン４５はワイヤ４８を介してシート載置部４０に取り付けられた操作レバー４９に連結されており、該操作レバー４９の操作により嵌合孔４６，４７との嵌合を解除することができるようになっている。このように、本例では、位置保持手段３９は、軸フレーム側フランジ部４２ａのピン４５が、後横フレーム側フランジ部１３ａの嵌合孔４６，４７に嵌入することにより、シートローラ６がシート作業位置Ｐ１及びシート着脱位置Ｐ２にある状態で該回動アーム３８をそれぞれ位置保持させるようになっている。
【００２８】
シート載置部４０は、両軸フレーム４２に取り付けられた矩形枠状のベース枠部５０と、該ベース枠部５０の両側枠片において回動アーム３８側へ突設されたシート座部５１とを備えている。シート載置部４０は、そのベース枠部５０が軸フレーム４２を介して回動アーム３８と連結されており、図１に示すように回動アーム３８とともに回動するようになっている。ベース枠部５０の反軸フレーム側は、回動アーム３８等を回動させるための回動ハンドル５０ａになっており、ここに位置保持手段３９の操作レバー４９が取り付けられている。また、シート座部５１は、図５（ｃ）に示すように回動アーム３８がシート着脱位置Ｐ２にある状態でシートロールＲをシート着脱位置Ｐ２の付近で支持するようになっている。このとき、シート載置部４０は、後輪３の軸の略真上又はそれよりも前方にシートロールＲの重心が位置する状態で該シートロールＲを支持するように構成されている。
【００２９】
回転駆動部８は、一方（本例では図２の左側）の軸フレーム４２の先端部から略前方に延びる駆動部フレーム５３と、該駆動部フレームの基端側に支持された原動機としてのエンジン５４と、該エンジン５４の駆動力を前記一方の支持部材３５を介してシートローラ６に伝動する動力伝動機構５５と、エンジン５４及び動力伝動機構５５がシートＳに干渉しないようにするカバー５６とを備えており、回動アーム３８とともに回動するようになっている。駆動部フレーム５３の先端側には、ハンドル５７が設けられており、エンジン５４の回転速度を制御するスロットルレバー５７ａや、減速ミッション５８のクラッチを操作するクラッチレバー５７ｂ等の各種操作手段が配設されている。この動力伝動機構５５は、次のように構成されている。まず、エンジン５４の駆動力はクラッチ付きの減速ミッション５８を介して横向きの出力軸５９に伝動される。そして、一方の回動アーム３８の基端側には、左右に延びる横軸６０が回転自在に支持されており、出力軸５９の駆動力はチェーン伝動機構を介して横軸６０に伝動される。そして、横軸６０の駆動力はベルト伝動機構を介して駆動軸６１に伝動され、これによりシートローラ６が回転駆動されるようになっている。
【００３０】
次に、このシート作業機１における一人の作業者によるシートロールＲの着脱方法について説明する。図５（ａ）は、シート回収作業が終了したときの状態を示しており、この状態でシートロールＲをシート作業機１から取り外すには、作業者は、まず、シート載置部４０の回動ハンドル５０ａを両手で持ち、その状態で両操作レバー４９を握る。すると、位置保持手段３９によるシート作業位置Ｐ１における位置保持が解除されるので、作業者は、回動ハンドル５０ａを持ったまま、図５（ｂ）に示すように、シートローラ６をシート着脱位置Ｐ２まで回動させる。次いで、回動ハンドル５０ａを持ったまま、両操作レバー４９を離し、位置保持手段３９によりその状態で位置保持させる。次いで、ローラ着脱ハンドル３６側の支持部材３５の付近に移動し、該ローラ着脱ハンドル３６を操作することにより、一方の支持部材３５を芯材３４から取り外し、シートロールＲの該一方側をその下方のシート座部５１に載せる。次いで、他方の支持部材３５側に移動し、該支持部材３５を芯材３４から取り外し、シートロールＲの該他方側をその下方のシート座部５１に載せると、図５（ｃ）に示すように、シートロールＲがシート着脱位置Ｐ２の下方でシート載置部４０に支持された状態になる。次いで、シートロールＲをシート載置部４０から降ろすと、取り外し作業が完了する。
【００３１】
なお、回収したシートＳを再使用するときは、前記取り外す作業の逆順に作業を行って、シートロールＲをシート作業機１に装着すればよい。そして、減速ミッション５８のクラッチを切っておき、シートＳを引き出しながらシート作業機１押して行くと、トンネルハウスＴの支柱等に順次シートＳを張って行くことができる。
【００３２】
以上のように構成された本発明のシート作業機１によれば、シートロールＲを着脱するときは、シート作業位置Ｐ１における位置保持を解除し、低い位置に設定されたシート着脱位置Ｐ２までシートローラ６を回動させることができ、作業し易い低い位置で着脱作業を行うことができる。
【００３３】
また、位置保持手段３９により、シート着脱位置Ｐ２において回動アーム３８を位置保持させることができるので、シートロールＲの着脱作業をさらに容易に行うことができる。
【００３４】
また、シート載置部４０により、シートロールＲをシート着脱位置Ｐ２の近くで支持させることができるので、シートローラ６を片側ずつ支持部材３５に着脱することができ、一人でもシートロールＲの着脱作業を行うことができる。
【００３５】
また、シート載置部４０は、回動アーム３８に連結され、該回動アーム３８とともに回動するように構成されているので、回動アーム３８等を回動させるための回動ハンドル５０ａとして利用することができる。
【００３６】
さらに、回転駆動部８は、回動アーム３８とともに回動するように構成されており、両者が相対移動しないので、駆動力を回動アーム３８先端部のシートローラ６に伝動するための機構を簡単化することができる。
【００３７】
次に、図６及び図７は、本発明を具体化した第二実施形態のシート作業機７０を示している。本シート作業機７０は、トラック７１の荷台７２に装着されるように構成している点においてのみ第一実施形態と主に相違している。従って、第一実施形態と共通する部分については同実施形態と同一符号を付することにより重複説明を省く。
【００３８】
図６及び図７に示すように、本シート作業機７０は、前輪及び後輪を省き、前脚部１６及び後脚部１７を介してトラック７１の荷台７２に装着されるように構成されている。本例では、荷台７２の側壁部７２ａから下側ガイド部２０が側方に突出するように設置されている。例えば、第一実施形態における前脚部１６及び後脚部１７の下部を取り外し可能に構成しておき、該下部を取り外すことにより荷台７２に装着するように構成することもできる。シート載置部４０は、荷台７２の床面７２ｂにより回動が停止されるようになっており、この停止位置がシート着脱位置Ｐ２となっている。本例では、荷台７２の床面７２ｂにより停止されるシート載置部４０を介して回動アーム３８が位置保持されるので、シート着脱位置Ｐ２における位置保持手段を省くことができる。
【００３９】
本実施形態のシート作業機７０によれば、第一実施形態と同様の効果に加え、トラック７１の荷台７２に設置されているので、トラック７１により、シート作業機を移動させながらシートＳを回収することができ、シート回収作業の労力を軽減することができる。
【００４０】
次に、図８〜図１２は、本発明を具体化した第三実施形態のシート作業機８０を示している。本シート作業機８０は、以下の点においてのみ第二実施形態と主に相違している。従って、第二実施形態と共通する部分については同実施形態と同一符号を付することにより重複説明を省く。
【００４１】
このシート作業機８０は、畝の幅方向と平行に左右に延びる機体８１と、該機体８１の前側に設けられてシートＳの状態を調整するシート調整部８２と、該シート調整部８２の後方に設けられてシートＳをシートローラ６に巻き取るシート回収部８３と、シートローラ６の下方に設けられ、シートロールＲを載置するためのシート載置部としての一対のロールガイド８４とを備えている。このシート作業機８０は、畝の端部に設置されたり、第二実施形態と同様にトラックの荷台に装着されたりして、使用される。
【００４２】
機体８１は、左右方向に延びる横フレーム８７と、該横フレーム８７の両側にそれぞれ支持されて略前方に延びる左右一対の前フレーム８８と、該横フレーム８７の一端側を支持するループ状のスタンド８９と、同他端側を支持する前後一対の走行車輪９０とを備えている。前フレーム８８の先端部には、シート調整部８２が支持されている。スタンド８９は、横フレーム８７の長さ方向における取付位置が調節可能になっている。走行車輪９０は、機体左右方向に走行自在になっており、機体８１の前記一端側を持ち上げると該走行車輪９０によって移動させることができるようになっている。
【００４３】
シート調整部８２の上側ガイド部９２は、両前フレーム８８の先端部からそれぞれ上方に延びる一対の支持アーム９３の備えており、該支持アーム９３の先端部には、中央部が上方に出っ張るようにヘ字状に形成されたガイドフレーム９４が支持されている。ガイドフレーム９４の中央部は、横フレーム８７に着脱可能に取り付けられた連結部材９５を介して該横フレーム８７に支持されている。また、ガイドフレーム９４の中央部における連結部材９５の両側には、左右一対のコロ９６が回転自在に支持されている。このコロ９６により、ガイドフレーム９４中央部においてシート中央部を傷めることなくスムーズに通過させることができるようにしている。しかも、コロ９６の外径をガイドフレーム９４の外径よりも少し大きく設定しておけば、シート送り中にシートＳの上からでも容易にコロ９６の位置、即ち機体中央の位置を把握することができる。通常、シートＳには、その幅方向中央を示すマーク（線や点等）が付けられているので、シート送り中にシート中央が機体中央に一致しているかどうかを容易に把握することができ、一致していなければ、容易に修正することができる。
【００４４】
シート回収部８３は、シートローラ６と、機体８１の左右にそれぞれ立設されて該シートローラ６の両側を支持する一対の縦フレーム９９と、シートロールＲの中央部を支持する垂れ下がり防止部１００とを備えている。垂れ下がり防止部１００は、図１１に示すように、機体８１に着脱可能に取り付けられたベース部１０１と、該ベース部１０１に上下スライド自在に支持された前後一対のスライドポール１０２と、該各スライドポール１０２の上端部に回転自在に支持された支持ローラ１０３と、付勢手段としての圧縮バネ１０４ａにより該両スライドポール１０２を一体的に上方に付勢する付勢部１０４とを備えている。このように付勢部１０４により上方に付勢された一対の支持ローラ１０３によりシートロールＲの中央部を押し上げ、特に幅の広いシートを回収する場合における該中央部の垂れ下がりを防止するようになっている。なお、垂れ下がり防止部１００は、シートＳの幅が短ければ取り付けなくても良いし、同幅が長ければ機体幅方向の二箇所以上に設けるようにしてもよい。
【００４５】
一方のロールガイド８４は、スタンド８９を介して横フレーム８７に支持されており、他方のロールガイド８４は、横フレーム８７に直接支持されている。各ロールガイド８４のシートロールＲ載置部位は、側面視で、中央よりもシートロールの着脱側部位（本例では機体後側部位）８４ａが略水平（又は凹状でもよい）に形成され、中央よりも反着脱側部位（本例では機体前側部位）８４ｂがシートロールＲの最大半径よりも少し大きめの径でシートロールＲの外周に沿うように湾曲形成され、両端部がその先端でシートロールＲを傷めることがないように、シートロールの反外周方向へ湾曲形成されている。このように着脱側部位８４ａが略水平（又は凹状でもよい）に形成されているので、シートロールＲを安定的に載置することができる。また、反着脱側部位８４ｂがシートロールＲの外周に沿うように湾曲形成されているので、シートロールＲが反着脱側部位に転動し過ぎるのを防止することができる。このロールガイド８４によれば、図１２に二点鎖線で示すように示すように、シートロールＲをシートローラ６の下方、即ちシートロールＲを着脱する位置の近くで支持させることができるので、シートロールＲを片側ずつシートローラ６の支持部材３５に着脱することができ、一人でも着脱作業を行うことができる。
【００４６】
なお、横フレーム８７は、長さ方向の中間部８７ａにおいて分割可能に構成されており、そのスタンド８９側の分割片に取り付けられた連結部材９５、スタンド８９、前フレーム８８及び縦フレーム９９は、横フレーム８７の長さ方向における取付位置を調節可能、かつ、横フレーム８７に着脱可能になっている。そして、下側ガイド部２０の前枠片２０ａ及び上側ガイド部９２の左右のガイドフレーム片９４ａは、それぞれ長さ方向中間部がスライド伸縮自在に構成されている。このため、本シート作業機８０は、横フレーム８７の分割片を交換することにより機体幅を種々のシート幅に応じて調節可能になっている。なお、横フレーム８７を、分割可能に構成することに代えて、下側ガイド部２０の前枠片２０ａと同様に長さ方向の中間部がスライド伸縮自在となるように構成してもよい。
【００４７】
また、図８に二点鎖線の矢印で示すように、下側ガイド部２０は、その基端側を中心に上方へ回動させて折り畳み可能に構成されている。また、回転駆動部８のハンドル５７は、図９に二点鎖線の矢印で示すように、折り畳み可能になっている。これらにより、収納時や移動時に占有スペースが小さくなるようにすることができるようになっている。
【００４８】
本実施形態によっても第二実施形態と同様の効果を得ることができるとともに、上記各効果を得ることができる。
【００４９】
なお、本発明は前記実施形態に限定されるものではなく、例えば以下のように、発明の趣旨から逸脱しない範囲で適宜変更して具体化することもできる。
（１）シート載置部４０が回動アーム３８とともに回動しない構成とすること。例えば、後脚部１７にシート座部５１を取り付ける態様が挙げられる。
（２）回転駆動部８が回動アーム３８とともに回動しない構成とすること。例えば、回転駆動部８を機体４に支持するように構成する態様が挙げられる。
（３）位置保持手段３９において、シートローラ６がシート着脱位置Ｐ２にある状態で回動アーム３８を位置保持させる手段としての嵌合孔４７を省くこと。
（４）シートローラ６がシート作業位置Ｐ１にある状態で位置保持させる位置保持手段と、シート着脱位置Ｐ２にある状態で位置保持させる位置保持手段とを別々に設けること。
（５）本発明を専らシート回収のために使用するシート回収機として具体化すること。また、本発明を専らシート張りのために使用するシート張り機として具体化すること。
【００５０】
【発明の効果】
本発明に係るシート作業機によれば、ロール状に巻かれたシートを着脱する作業の労力を軽減することができるという優れた効果を奏する。
【図面の簡単な説明】
【図１】本発明の第一実施形態に係るシート作業機の側面図である。
【図２】同シート作業機の平面図である。
【図３】同シート作業機の背面図である。
【図４】同シート作業機の位置保持手段を示し、（ａ）は図３の部分拡大図、（ｂ）は（ａ）のｂ−ｂ線断面図である。
【図５】同シート作業機におけるシート着脱方法を示す側面図である。
【図６】本発明の第二実施形態に係るシート作業機の側面図である。
【図７】同シート作業機の平面図である。
【図８】本発明の第三実施形態に係るシート作業機の側面図である。
【図９】同シート作業機の平面図である。
【図１０】同シート作業機の背面図である。
【図１１】図９のＸＩ−ＸＩ線断面図である。
【図１２】図９のＸＩＩ−ＸＩＩ線断面図である。
【符号の説明】
１　シート作業機
４　機体
６　シートローラ
８　回転駆動部
３４　芯材
３５　支持部材
３８　回動アーム
３９　位置保持手段
４０　シート載置部
７０　シート作業機
８０　シート作業機
８４　シート載置部としてのロールガイド
Ｐ１　シート作業位置
Ｐ２　シート着脱位置
Ｓ　シート
Ｒ　シートロール
【図１】
2004024235.tif 000003
【図２】
2004024235.tif 000004
【図３】
2004024235.tif 000005
【図４】
2004024235.tif 000006
【図５】
2004024235.tif 000007
【図６】
2004024235.tif 000008
【図７】
2004024235.tif 000009
【図８】
2004024235.tif 000010
【図９】
2004024235.tif 000011
【図１０】
2004024235.tif 000012
【図１１】
2004024235.tif 000013
【図１２】
2004024235.tif 000014